(57)【要約】無線アクセスネットワーク（ＲＡＮ：Radio Access Network）のセルに関連する最小システム情報が基地局によって送信される通信システムが開示される。最小システム情報は、最小システム情報の初期部分と残り部分に分割された、基地局のセルにアクセスするためのパラメータを含む。基地局は、通信リソースの第１のセットを使用して、ブロードキャストチャネルを介してシステム情報の初期部分を送信し、共有チャネルで少なくとも１つの別の通信リソースの割り当てを識別する情報を送信し、割り当てによって識別された少なくとも１つのさらなる通信リソースを使用して、最小システム情報の残り部分を送信する。【選択図】図１
2020523915.tif 000002
【特許請求の範囲】
【請求項１】
通信システムの無線アクセスネットワーク（ＲＡＮ：Radio Access Network）の通信装置によって実行される方法であって、
初期アクセスのためにユーザ機器（ＵＥ：User Equipment）によって要求される最小パラメータを含む最小システム情報の送信を制御すること、を備え、
前記最小システム情報は、少なくとも、前記最小システム情報の部分を含む初期部分と、残りの最小システム情報（ＲＭＳＩ：Remaining Minimum System Information）を含む残り部分と、を含み、
物理ブロードキャストチャネル（ＰＢＣＨ：Physical Broadcast Channel）を介して前記最小システム情報の少なくとも前記初期部分を送信することと、
少なくとも１つの通信リソースを識別する情報を送信することと、
前記情報によって識別される前記少なくとも１つの通信リソースを使用して、少なくとも前記ＲＭＳＩを送信することと、
を備える方法。
【請求項２】
前記少なくとも１つの通信リソースは、前記ＰＢＣＨに依存する（例えば、前記ＰＢＣＨ内に閉じ込められるか、または前記ＰＢＣＨと重複する）、
請求項１に記載の方法。
【請求項３】
前記最小システム情報の前記初期部分および前記ＲＭＳＩは、別個のダウンリンクチャネルを使用して送信される、
請求項１または２に記載の方法。
【請求項４】
前記ＲＭＳＩは、物理ダウンリンク共有チャネル（ＰＤＳＣＨ：Physical Downlink Shared Channel）を介して送信される、
請求項１から３のいずれかに記載の方法。
【請求項５】
前記最小システム情報の前記初期部分は、マスター情報ブロック（ＭＩＢ：Master Information Block）を含み、
前記ＲＭＳＩは、システム情報ブロックタイプ１（ＳＩＢ１：System Information Block）を含む、
請求項１から４のいずれかに記載の方法。
【請求項６】
前記少なくとも１つの通信リソースを識別する前記情報は、
物理リソースブロック（ＰＲＢ：Physical Resource Block）に関連付けられたインデックスを識別する情報と、
前記ＰＢＣＨの少なくとも１つの通信リソースと比較した差を表すいくつかのＰＲＢ（例えば、オフセット）と、
のうち少なくとも１つを備える、
請求項１から５のいずれかに記載の方法。
【請求項７】
前記ＰＢＣＨは、周波数領域が増加する順にインデックスが付けられた複数のＰＲＢを含む、
請求項６に記載の方法。
【請求項８】
前記少なくとも１つの通信リソースは、１つのＰＲＢの粒度を有する、
請求項１から７のいずれかに記載の方法。
【請求項９】
前記最小システム情報は、前記セルに関連付けられた複数の帯域幅部分のうちの１つにアクセスするために要求される最小パラメータを含む、
請求項１から８のいずれかに記載の方法。
【請求項１０】
前記ＰＢＣＨは、通信リソースの所定のセット（例えば、前記セル内で送信される少なくとも１つの同期信号の位置に依存する／前記セルに関連づけられた数秘術に依存する）を介して送信される、
請求項１から９のいずれかに記載の方法。
【請求項１１】
前記最小システム情報は、セルのネットワークチャネル帯域幅内の前記ＰＢＣＨおよび／または前記最小システム情報の前記残り部分の位置を識別する情報（例えば、前記ネットワークチャネル帯域幅内の前記ＰＢＣＨ／ＲＭＳＩの開始ＰＲＢのインデックス）を含む、
請求項１から１０のいずれかに記載の方法。
【請求項１２】
前記通信装置は、新無線（ＮＲ：New Radio）システム用の基地局（例えば、「ｇＮＢ」）を備える、
請求項１から１１のいずれかに記載の方法。
【請求項１３】
通信システムの無線アクセスネットワーク（ＲＡＮ：Radio Access Network）への初期アクセスのために要求される最小パラメータを含む最小システム情報を取得するために、ユーザ機器（ＵＥ：User Equipment）によって実行される方法であって、
前記最小システム情報は、少なくとも、前記最小システム情報の部分を含む初期部分と、残りの最小システム情報（ＲＭＳＩ：Remaining Minimum System Information）を含む残り部分と、を含み、
物理ブロードキャストチャネル（ＰＢＣＨ：Physical Broadcast Channel）を介して前記最小システム情報の少なくとも前記初期部分を受信することと、
少なくとも１つの通信リソースを識別する情報を受信することと、
前記情報によって識別される前記少なくとも１つの通信リソースを使用して、少なくとも前記ＲＭＳＩを受信することと、
を備える方法。
【請求項１４】
通信システムの無線アクセスネットワーク（ＲＡＮ：Radio Access Network）の通信装置であって、
初期アクセスのためにユーザ機器（ＵＥ：User Equipment）によって要求される最小パラメータを含む最小システム情報の送信を制御する手段を備え、
前記最小システム情報は、少なくとも、前記最小システム情報の部分を含む初期部分と、残りの最小システム情報（ＲＭＳＩ：Remaining Minimum System Information）を含む残り部分と、を含み、
物理ブロードキャストチャネル（ＰＢＣＨ：Physical Broadcast Channel）を介して前記最小システム情報の少なくとも前記初期部分を送信する手段と、
少なくとも１つの通信リソースを識別する情報を送信する手段と、
前記情報によって識別される前記少なくとも１つの通信リソースを使用して、少なくとも前記ＲＭＳＩを送信する手段と、
を備える通信装置。
【請求項１５】
通信システムの無線アクセスネットワーク（ＲＡＮ：Radio Access Network）への初期アクセスのための最小パラメータを含む最小システム情報を取得する手段を備え、
前記最小システム情報は、少なくとも、前記最小システム情報の部分を含む初期部分と、残りの最小システム情報（ＲＭＳＩ：Remaining Minimum System Information）を含む残り部分と、を含み、
物理ブロードキャストチャネル（ＰＢＣＨ：Physical Broadcast Channel）を介して前記最小システム情報の少なくとも前記初期部分を受信する手段と、
少なくとも１つの通信リソースを識別する情報を受信する手段と、
前記情報によって識別される前記少なくとも１つの通信リソースを使用して、少なくとも前記ＲＭＳＩを受信する手段と、
を備えるユーザ機器。
【請求項１６】
請求項１４に記載の通信装置と請求項１５に記載のユーザ機器とを含むシステム。
【請求項１７】
請求項１から１３のいずれかに記載の方法、または請求項１４に記載の通信装置または請求項１５に記載のユーザ機器として動作するように適切に適合されたコンピュータをプログラムする方法を実行するためにプログラム可能なプロセッサをプログラムするように動作可能な命令が格納されたコンピュータプログラム可読記憶媒体。
【発明の詳細な説明】
【技術分野】
【０００１】
本発明は、セルラー通信ネットワークまたは無線通信ネットワークにおけるシステムリソースの提供に関し、特に、物理リソースブロック、および、いくつかのより小さなコンポーネントキャリアに分解できるコンポーネントキャリア（セル）のリソースブロックグループのインデックス付けに関するものである。本発明は、第３世代パートナーシッププロジェクト（３ＧＰＰ：3rd Generation Partnership Project）によって定義された様々な標準に従って実施される無線通信ネットワークに特に関連するが、それには限定されない。例えば、本発明は、ロングタームエボリューション（ＬＴＥ：Long Term Evolution）ネットワーク、ＬＴＥアドバンスト（ＬＴＥ−Ａ）ネットワーク、ＬＴＥ／ＬＴＥ−Ａの関連する拡張および開発、およびＬＴＥ／ＬＴＥ−Ａを超えた、いわゆる「５Ｇ」、「新無線」（ＮＲ：New Radio）、または「ＮｅｘｔＧｅｎ」テクノロジーという通信技術のより最近の開発に関連する。
【背景技術】
【０００２】
セルラー通信ネットワークは、一般に、ＲＡＮによってカバーされる少なくとも１つの個別の地理的領域（セル）内で、ユーザ機器（ＵＥ：User Equipment）のアイテムを与え、ＵＥに対して互いに通信し、１つ以上の通信サービスを相互に受信（または提供）することを許可する通信ネットワークへのアクセスを提供する、１つ以上の無線アクセスネットワーク（ＲＡＮ：Radio Access Network）を備える。ＲＡＮは通常、個々のＵＥの通信セッションのセットアップとメンテナンス（たとえば、音声／ビデオコール、データサービスなど）を促進するために、関連するセル内のＵＥとエアインターフェイスを介して通信し、コアネットワーク内の通信エンティティ（または「機能」）と（通常は有線インターフェイスを介して）通信するように構成された基地局を備える。
【０００３】
「５Ｇ」および「新無線」（ＮＲ：New Radio）という用語は、マシンタイプコミュニケーション（ＭＴＣ：Machine Type Communications）、モノのインターネット（ＩｏＴ：Internet of Things）通信、車両通信、および自動運転車（Ｖ２Ｖ／Ｖ２Ｘ）、高解像度ビデオストリーミング、スマートシティサービスなどのさまざまなアプリケーションおよびサービスをサポートすることが期待される進化する通信技術を指す。
【０００４】
３ＧＰＰテクニカルレポート（ＴＲ：Technical Report）23.799 V14.0.0は、３ＧＰＰ標準のリリース１４で計画されているＮｅｘｔＧｅｎ（５Ｇ）システムの可能なアーキテクチャと一般的な手順を説明する。３ＧＰＰは、Ｒｅｌ−１５のＮＲキャリアあたりの最大チャネル帯域幅が４００ＭＨｚ（メガヘルツ）である新しい（５Ｇ）無線アクセスネットワークで最大１００ＧＨｚ（ギガヘルツ）の周波数帯域を使用する可能性についても検討した。特定の高周波数帯域（たとえば、ｍｍＷａｖｅ帯域など）に関連する厳しいチャネル減衰特性を克服するために、指向性ビームフォーミングと大規模アンテナ技術もまた使用される。「大規模アンテナ」という用語は、アレイ状に配置された多数のアンテナ要素（たとえば、１００個以上など）を持つアンテナを指す。効果的に、このような大規模アンテナを使用して複数のユーザと同時に通信できるため、マルチユーザの複数入力および複数出力（ＭＵ−ＭＩＭＯ：Multi-User Multiple-Input and Multiple-Output）送信を促進する。
【０００５】
５Ｇ／ＮＲ通信システムの基地局は、一般に新しい無線基地局（「ＮＲ−ＢＳ」）または「ｇＮＢ」と呼ばれるが、用語ｅＮＢ（または５Ｇ／ＮＲ  ｅＮＢ）は、より一般的にはＬＴＥ基地局に関連付けられている。ＭＵ−ＭＩＭＯの場合、基地局は送受信ポイント（ＴＲＰ：Transmission and Reception Point）とも呼ばれる。本明細書では、「基地局」という用語は、一般に、ＮＲ−ＢＳ、ｇＮＢ、ｅＮＢ、ＴＲＰ、またはＲＡＮの任意の同等の通信デバイスを指すために使用される。
【０００６】
基地局のタスクの１つは、ＵＥがセルラー通信システムで通信し、特定のサービスにアクセスし、同じまたは異なる無線アクセス技術（ＲＡＴs：Radio Access Technologies）のセル間で可能な限りシームレスに移動するために必要なキー情報の提供である。この情報は「システム情報」と呼ばれ、他の情報の中でも特に、ＵＥがセルにアクセスし、（周波数内、周波数間、およびＲＡＴ間のセル選択を含む）セルの選択／再選択を実行できる最小システム情報と、例えば特定のサービスにアクセスするために、ＵＥが特定の状況でセルに必要とする他のシステム情報（つまり、セルにアクセスするために必要な最小限のシステム情報に加えて）と、を含む。
【０００７】
システム情報の要素は通常、情報の種類に応じて、いくつかの個別システム情報ブロックにグループ化される。ブロックは、いわゆる最小システム情報の一部を保持する静的な一般的なセル固有の情報と、残りの最小システム情報（ＲＭＳＩ：Remaining Minimum System Information）を含むいわゆる「ＲＭＳＩ」ブロックを含むマスター情報ブロック（ＭＩＢ：Master Information Block）と、オンデマンド要求を介して配信できるさまざまなＵＥ（またはＵＥのグループ）ごとに異なる可能性がある情報を表すいくつかの追加のシステム情報ブロック（ＳＩＢｓ：System Information Blocks）と、を含む。ＭＩＢは、たとえば、システムフレーム番号（ＳＦＮ：System Frame Number）の少なくとも一部、無線フレーム内のタイミング情報（たとえば、ＳＳブロックタイムインデックス、無線フレームの半分のタイミングなど）、ＲＭＳＩスケジューリング情報、将来の使用のための予約ビット、および巡回冗長検査（ＣＲＣ：Cyclic Redundancy Check）値を含む。ＭＩＢは物理ブロードキャストチャネル（ＰＢＣＨ：Physical Downlink Shared Channel）でブロードキャストされ、ＲＭＳＩおよびオンデマンドＳＩＢは無線リソース制御（ＲＲＣ：Radio Resource Control）メッセージを介して物理ダウンリンク共有チャネル（ＰＤＳＣＨ：Physical Downlink Shared Channel）で送信される。
【０００８】
３ＧＰＰは、新無線（ＮＲ：New Radio）基地局（つまり５Ｇ基地局、またはｇＮＢ）ごとに１つ以上のＴＲＰを提供する予定であり、各基地局は最大１０００個のセルをサポートできる。予想されるＮＲ制御構造は、3GPP TR 38.802 V14.0.0に示されており、その内容は参照により本明細書に組み込まれる。この技術レポートは、特に、ＵＥによる初期アクセス（たとえば、ＲＡＮの特定のセル）とモビリティをサポートするための同期信号とダウンリンクブロードキャスト信号／チャネル（セクション6.2.3.1）の提供について説明する。
【０００９】
要約すると、ＮＲで使用される同期信号は、巡回プレフィックス（ＣＰ：Cyclic-Prefix）直交周波数分割多重（ＯＦＤＭ：Orthogonal Frequency-Division Multiplexing）波形に基づいている。３ＧＰＰは、ＮＲに対してプライマリ同期信号（ＮＲ−ＰＳＳ：New Radio Primary Synchronisation Signal）とセカンダリ同期信号（ＮＲ−ＳＳＳ：New Radio secondary Synchronisation Signal）を定義した。ＮＲ−ＰＳＳは、ＮＲセルへの少なくとも最初のシンボル境界同期に使用され、ＮＲ−ＳＳＳは、ＮＲセル識別子（または少なくともその一部）の検出に使用される。ＮＲ−ＳＳＳ検出は、少なくとも特定の周波数範囲とＣＰオーバーヘッド内でのＮＲ−ＰＳＳリソース位置との固定時間／周波数関係に基づいている。
【００１０】
ＮＲには、少なくとも１つのブロードキャストチャネル（ＮＲ−ＰＢＣＨ：New Radio Broadcast Channel）が定義されている。ＮＲ−ＰＢＣＨは、搬送波周波数範囲に応じて固定ペイロードサイズと周期性を備えた、いわゆる最小システム情報の少なくとも一部を伝送する非スケジュールブロードキャストチャネルである。ＮＲ−ＰＢＣＨのデコードは、ＮＲ−ＰＳＳおよび／またはＮＲ−ＳＳＳリソース位置との固定関係に基づいている。
【００１１】
初期アクセスの場合、ＵＥは、特定の周波数帯域（たとえば、工場出荷時に設定され、ＵＥに既知）でのＮＲ−ＰＳＳ／ＳＳＳの特定の所定のサブキャリア間隔に対応する信号を想定できる。ＮＲ−ＰＳＳは１つのアンテナポートを使用する。ＮＲ  ＰＢＣＨ送信の場合、単一の固定数のアンテナポートがサポートされる。ＵＥは、特定の周波数範囲でＮＲ−ＰＢＣＨおよびＮＲ−ＳＳの予め定義された数秘術（numerologies）を前提とする（したがって、ＮＲ−ＰＢＣＨ送信のブラインド検出は、ＵＥによって必要とされない）。最小システム情報（たとえばＭＩＢなど）の少なくとも一部は、ＮＲ−ＰＢＣＨで送信される。ＮＲ−ＰＢＣＨの内容は、ＳＦＮの少なくとも一部と、関連するＣＲＣ値を含む。ＲＭＳＩはＮＲ−ＰＤＳＣＨを介して送信される。
【００１２】
３ＧＰＰ  ＲＡＮ１ワークグループでは、ネットワークチャネル全体の帯域幅（ｇＮＢのシステム帯域幅）をいくつかの小さなコンポーネントキャリア（ＣＣ：component carrier）に分割できるシナリオについて継続的な議論があり、システム情報に影響を与える可能性があり、具体的には、ＲＭＳＩが提供される。
【００１３】
以下は、３ＧＰＰ  ＲＡＮ１によって達成された合意の一部の要約である。
−コンポーネントキャリア（セル）は、多数の異なる帯域幅で同時に動作してもよい（たとえば、ユーザ機器のさまざまなアイテムのために）。たとえば、ｇＮＢは、いくつかのＵＥでは広帯域ＣＣとして、他のＵＥでは帯域内連続ＣＣのセットとして同時に動作できる。帯域内連続ＣＣは、必要に応じていくつかのＵＥの帯域幅を動的に増やすために（つまり、複数の帯域内連続ＣＣを集約することによって）キャリアアグリゲーション（ＣＡ：Carrier Aggregation）とともに使用してもよい。広帯域ＣＣ内の帯域内ＣＣ間でゼロ（または最小）ガード帯域を許可することが推奨される。（非ゼロの）ガード帯域が２つの帯域内ＣＣの間に提供される場合、ガード帯域に使用されるサブキャリアの数を最小限に抑えることが望ましい。
−広帯域ＣＣでは、単一および複数の同期信号の場所が許可される。
−シングルキャリア動作の場合、ＵＥは、そのＵＥ用に設定された周波数範囲外のダウンリンク信号を受信する必要はない。しかしながら、必要に応じて周波数範囲を変更（または移動）できるようにするために（たとえば、周波数範囲「Ａ」から周波数範囲「Ｂ」に）、ＵＥに信号が送信されない中断時間が必要とされる。この場合、周波数範囲は異なるＢＷおよび／または中心周波数を持ってもよい。
−各コンポーネントキャリアの１つまたは複数の帯域幅部分の構成は、半静的にＵＥにシグナリングできる（すなわち、ＲＲＣ接続モードなど）。各帯域幅部分は、連続した物理リソースブロック（ＰＲＢ：Physical Resource Block）のグループで構成される。しかしながら、予約済み（または使用不可）リソースは、帯域幅部分内で構成できる。帯域幅部分の帯域幅は、ＵＥでサポートされる最大帯域幅機能に等しいか、それよりも小さくなる。帯域幅部分の帯域幅は、少なくとも同期信号ブロックの帯域幅と同じである。しかしながら、全ての帯域幅部分に同期信号ブロックが含まれる必要はない。
-帯域幅部分の構成は、以下の特性、その帯域幅部分の特定の数秘術（サブキャリア間隔、CPタイプ）、周波数位置（たとえば中心周波数）、帯域幅（たとえばPRBの数）を含んでもよい。
−各ＵＥは、設定された帯域幅のセットの中で、特定の時点で少なくとも１つのダウンリンク（ＤＬ：Downlink）帯域幅部分と、１つのアップリンク（ＵＬ：Uplink）帯域幅部分がアクティブであることを期待すべきである。ＵＥは、関連する数秘術を使用して、アクティブなＤＬ／ＵＬ帯域幅部分内でのみ受信／送信すると想定される。少なくとも物理ダウンリンク共有チャネル（ＰＤＳＣＨ：Physical Downlink Shared Channel）および／または物理ダウンリンク制御チャネル（ＰＤＣＣＨ：Physical Downlink Control Channel）がＤＬに使用され、物理アップリンク制御チャネル（ＰＵＣＣＨ：Physical Uplink Control Channel）および／または物理アップリンク共有チャネル（ＰＵＳＣＨ：Physical Uplink Shared Channel）がＵＬに使用される。
−アクティブなＤＬ／ＵＬ帯域幅部分は、コンポーネントキャリア内のＵＥのＤＬ／ＵＬ帯域幅能力よりも大きい周波数範囲に及ぶとは想定されていない。さらに、帯域幅部分の切り替えのためのＵＥ無線周波数（ＲＦ：Radio Frequency）の再調整のために、適切なメカニズムを指定する必要がある。
−特定の数秘術の同じＰＲＢグリッド構造は、広帯域ＮＲキャリア内の狭帯域ＵＥ、ＣＡ  ＵＥ、および広帯域ＵＥに適用されると想定される。
【発明の概要】
【発明が解決しようとする課題】
【００１４】
本発明者は、上記の合意が、参照信号の現在の設計、ならびに現在のリソースブロックグループ（ＲＢＧ：Resource Block Group）設計およびＣＳＩサブ帯域にも影響を及ぼすことを認識した。また、現在、上記の合意を考慮した適切なＰＲＢインデックス作成の達成方法についても合意がされていない。
【００１５】
本発明は、上記の問題に対処するか、少なくとも部分的に対処するための通信システムおよび関連する装置および方法を提供しようとするものである。具体的には、本書では、ＮＲシステムでより広いネットワークチャネル帯域幅（例えば、ｇＮＢのシステム帯域幅）をサポートする際の残りの課題を達成する方法のいくつかの詳細を、より具体的には、ネットワークチャネル帯域幅は、多数のより小さなコンポーネントキャリアで構成されるシナリオで、ＰＲＢおよびＲＢＧインデックスを決定する方法を提供する。
【課題を解決するための手段】
【００１６】
一態様では、本発明は、通信システムの無線アクセスネットワーク（ＲＡＮ：Radio Access Network）の通信装置によって実行される方法を提供し、前記方法は、
前記通信システムのセルにアクセスするためにユーザ機器（ＵＥ：User Equipment）によって要求される最小パラメータを含む最小システム情報の送信を制御すること、を備え、
前記最小システム情報は、少なくとも、前記最小システム情報の部分を含む初期部分と、前記最小システム情報の残りの部分を含む残り部分と、を含み、
少なくとも１つの通信リソースの第１のセットを使用して、物理ブロードキャストチャネル（ＰＢＣＨ：Physical Broadcast Channel）を介して前記システム情報の少なくとも前記初期部分を送信することと、
少なくとも１つのさらなる通信リソースの割り当てを識別する情報を送信することと、
前記割り当てによって識別される前記少なくとも１つのさらなる通信リソースを使用して、前記最小システム情報の少なくとも前記残り部分を送信することと、
を備える。
【００１７】
別の態様では、本発明は、通信システムの無線アクセスネットワーク（ＲＡＮ：Radio Access Network）のセルへのアクセスのために要求される最小パラメータを含む最小システム情報を取得するために、通信デバイスによって実行される方法を提供し、前記方法は、
前記最小システム情報は、少なくとも、前記最小システム情報の部分を含む初期部分と、前記最小システム情報の残りの部分を含む残り部分と、を含み、
少なくとも１つの通信リソースの第１のセットを使用して、通信物理ブロードキャストチャネル（ＰＢＣＨ：Physical Broadcast Channel）を介して前記システム情報の少なくとも前記初期部分を受信することと、
少なくとも１つのさらなる通信リソースの割り当てを識別する情報を受信することと、
前記割り当てによって識別された前記少なくとも１つのさらなる通信リソースを使用して、前記最小システム情報の少なくとも前記残り部分を受信することと、
を備える。
【００１８】
別の態様では、本発明は、通信システムの無線アクセスネットワーク（ＲＡＮ：Radio Access Network）の通信装置によって実行される方法を提供し、前記方法は、
前記通信システムのセルにアクセスするためにユーザ機器（ＵＥ：User Equipment）によって要求される最小パラメータを含む最小システム情報の送信を制御すること、を備え、
前記最小システム情報は、少なくとも、前記最小システム情報の部分を含む初期部分と、残りの最小システム情報を含む残り部分と、を含み、
前記最小システム情報は、前記セルのネットワークチャネル帯域幅内に、物理ブロードキャストチャネル（ＰＢＣＨ：Physical Broadcast Channel）および前記ＲＭＳＩのうち少なくとも１つの前記位置を識別する情報を含む。
【００１９】
さらに別の態様では、本発明は、通信システムの無線アクセスネットワーク（ＲＡＮ：Radio Access Network）の通信デバイスによって実行される方法を提供し、前記方法は、
前記通信システムのセルへアクセスするために要求された最小パラメータを含む最小システム情報を受信することを備え、
前記最小システム情報は、少なくとも、前記最小システム情報の部分を含む初期部分と、残りの最小システム情報を含む残り部分と、を含み、
前記最小システム情報は、前記セルのネットワークチャネル帯域幅内に、物理ブロードキャストチャネル（ＰＢＣＨ：Physical Broadcast Channel）および前記ＲＭＳＩのうち少なくとも１つの前記位置を識別する情報を含む。
【００２０】
本発明の態様は、上に記載または請求項に列挙され、および／または請求項のいずれかに記載の装置を提供するように適切に適合されたコンピュータをプログラムする態様および可能性に記載された方法を実行するためにプログラム可能なプロセッサをプログラムするように動作可能な命令を記憶するコンピュータ可読記憶媒体などに関連する装置およびコンピュータプログラム製品に及ぶ。
【００２１】
本明細書で開示されるおよび／または図面に示される各特徴（この用語にはクレームが含まれる）は、他の開示および／または図示される特徴とは独立して（または組み合わせて）本発明に組み込むことができる。特に、ただし、限定されないが、特定の独立請求項に従属する請求項のいずれかの特徴は、任意の組み合わせでまたは個別にその独立請求項に導入することができる。
【００２２】
本明細書に記載のさまざまな手順を実行するための特定の物理的構造を有する特定のハードウェア装置（例えば、コントローラおよびトランシーバ回路）が開示されたが、説明に開示された方法の各ステップおよび／または請求項の一部は、そのステップを実行する適切な手段によって実行されてもよい。これによれば、本発明の各方法の態様は、その方法の態様の各ステップを実行するためのそれぞれの手段を含む対応する装置の態様を有する。
【００２３】
次に、本発明の例示的な実施形態を、添付の図面を参照して単なる例として説明する。
【図面の簡単な説明】
【００２４】
【図１】図１は、本発明が適用可能なタイプのセルラー通信システムを概略的に示す。
【図２】図２は、図１のシステムで使用される広帯域コンポーネントキャリア内のより小さなコンポーネントキャリアをサポートするシナリオを概略的に示す。
【図３】図３は、図１のセルラー通信システムでの使用に適したユーザ機器を実装するための物理的装置の簡略化されたブロック図である。
【図４】図４は、図１のセルラー通信システムでの使用に適した基地局を実装するための物理的装置の簡略化されたブロック図である。
【図５】図５は、図１のシステムにおいてＰＢＣＨ帯域幅に関してＲＭＳＩ帯域幅を定義することができる例示的な方法を概略的に示す。
【図６】図６は、図１のシステムにおいてＰＢＣＨ帯域幅に関してＲＭＳＩ帯域幅を定義することができる例示的な方法を概略的に示す。
【図７】図７は、図１のセルラー通信システムにおいてＰＢＣＨの位置を導き出すことができる例示的な方法を概略的に示す。
【図８】図８は、図１のセルラー通信システムにおいてグローバルＲＢＧインデックス付けが提供され得る例示的な方法を概略的に示す。
【発明を実施するための形態】
【００２５】
概要
図１は、携帯電話などのユーザ機器（ＵＥ：User Equipment）３、および他の固定またはモバイル通信デバイス（たとえば、ＭＴＣデバイス、ＩｏＴデバイス）の多くのアイテムが基地局５および適切な無線アクセス技術（ＲＡＴ：Radio Access Technology）を使用したコアネットワーク（Core network）７を介して互いに通信できるセルラー通信システム１を概略的に示す。当業者が理解するように、２つのモバイルデバイス３（「ＵＥ１」および「ＵＥ２」と示される）、１つのＭＴＣデバイス３（「ＵＥ３」と示される）、および１つの基地局５は、例示のために図１に示され、システムは、実装されると、通常、他の基地局およびＵＥを含む。
【００２６】
基地局５は、ＲＡＮの一部を形成し、ＵＥ３がセルラー通信システム１に接続することができる１つ以上の関連するセル９を動作させる。ＵＥ３は、そのセル９を動作させる基地局５に接続する無線リソース制御（ＲＲＣ：Radio Resource Control）を確立することによりセル９に接続することができる。
【００２７】
基地局５は、例えばＳ１インターフェイスを介してコアネットワーク７に接続され、例えばＸ２インターフェイスを介して（直接または例えばＸ２ゲートウェイを介して）他の基地局（図示せず）に接続される。コアネットワーク７は通常、通信システム１における通信をサポートするための論理ノード（または「機能」）を含む。典型的には、例えば、５Ｇ／ＮＲシステムのコアネットワーク７は、他の機能の中でも、コントロールプレーン機能、ユーザプレーン機能、および、モビリティ管理エンティティ（ＭＭＥ：Mobility Management Entity）、サービングゲートウェイ（Ｓ−ＧＷ：Serving Gateway）、パケットデータネットワークゲートウェイ（Ｐ−ＧＷ：Packet data network Gateway）などの機能を提供する他の機能を含む。
【００２８】
このシステムでは、システム帯域幅（または「広帯域ＣＣ（wideband CC）」）は、多数のより小さなコンポーネントキャリアを含む。したがって、基地局５は、複数のコンポーネントキャリアと同時にそのセル９を動作させるように構成され、そのいくつかは、広帯域ＣＣの帯域幅とは異なる帯域幅を有してもよい。図２に示されているこの例では、基地局５は、少なくともいくつかのＵＥ３に対して広帯域ＣＣ（例えば、システム帯域幅全体にわたる単一のキャリア）を同時に動作させ、他のＵＥ３に対して、システム帯域幅と比較して比較的小さな関連する帯域幅を有する広帯域ＣＣ内の効果的なキャリアである帯域内連続ＣＣ（ここでは「ＣＣ１」および「ＣＣ２」）のセットを動作させる。
【００２９】
この配置は有益に、異なるＵＥ３が、それらの必要と能力（ＵＥのいくつかは、限られた帯域幅のみをサポートするトランシーバが組み込まれてもよい）に依存して、システム帯域幅の適切な部分（たとえば、システム帯域幅全体またはその一部のみ）でデータを送受信できるようにする。たとえば、図２に示すように、ＵＥ１は、より広いＲＦ帯域幅を処理できるため、ネットワークチャネル帯域幅全体で送受信するように構成されているが、一方で、ＵＥ２とＵＥ３は、たとえば、限られたＲＦ帯域幅および／または現在の通信の必要性／設定のため、チャネル帯域幅の一部のみを使用する。図示されていないが、適切な場合、いくつかのＵＥは複数のコンポーネントキャリア（ＣＡとの帯域内連続ＣＣ）を集約してもよいことが理解される。たとえば、ＣＣ１の帯域幅が充分でない場合、ＵＥ２はＣＣ１とＣＣ２（および／または同じセル内または異なるセル内の他のＣＣ）を集約してもよい。同様に、ＵＥ１は、広帯域ＣＣの帯域幅がそのＵＥに対して充分でない場合、広帯域ＣＣと１つ以上の追加のＣＣ（例えば、１つ以上の追加のセル）を集約してもよい。
【００３０】
ＵＥ３がそのセル９を見つけるのを支援し、様々なＣＣにアクセスできるようにするために、基地局５は、セル９内のシステム情報を提供する。提供されるいくつかのシステム情報は、セル９内のすべてのＵＥ３によって要求され、比較的定期的に送信（たとえば、ブロードキャスト）されてもよいが、他のシステム情報は、特定の時刻にセル９内の全てのＵＥ３によって要求され、および／または、そのような定期的に送信される必要が無いかもしれない。したがって、システム情報は、最小システム情報と他のシステム情報という概念的に２つの異なるタイプに分割される。
【００３１】
最小システム情報を参照すると、基地局５は、そのセル９内の最小システム情報の少なくともいくつかをブロードキャストする。この例では、最小システム情報には、情報要素の最小セット（たとえば、セル選択、残りのシステム情報を取得し、またはセルにアクセスすることをサポートするために要求されるそれらの要素）の少なくとも一部を運ぶ情報ブロックのサブセット（ＭＩＢ、ＳＩＢ１、ＳＩＢ２および／またはそのようなものなど）を含む。残りの最小システム情報（ＲＭＳＩ：Remaining Minimum System Information）および潜在的な他のシステム情報は、適切なメカニズム（たとえば、ＵＥの要求での「オンデマンド」）を使用してＵＥ３によって取得できる。例えば、ＲＲＣ接続状態のＵＥ３は、ＲＭＳＩの要求および配信のための個別ＲＲＣシグナリングを使用してもよい。
【００３２】
有利なことに、このネットワーク１では、ＵＥ３のタイプまたは動作（狭帯域ＵＥ、ＣＡ  ＵＥ、または広帯域ＵＥ）に関係なく、広帯域ＣＣ内の所定の数秘術のために同じＰＲＢグリッド構造が使用される。いくつかの例示的な数秘術を以下の表１に示す。
【００３３】
ＬＴＥシステムでは、ＵＥがＰＢＣＨをデコードすると、ＰＢＣＨと同期信号（つまり「ＳＳブロック」）が常にＬＴＥシステムの帯域幅の中心周波数（つまり中央の６ＲＢ）に位置されるため、ＵＥはＰＲＢとＲＢＧのインデックスをすぐに作成できる。一方、ＮＲシステム（たとえば、図１に示す）では、ＳＳブロック（ＮＲ−ＰＢＣＨの位置に対応）は、必ずしもネットワークチャネル帯域幅の中心周波数にあるとは限らない。
【００３４】
しかしながら、このシステムの基地局５は、広帯域ＣＣが帯域内ＣＣにどのように分割されるかに関係なく、ＵＥ３によるＮＲ−ＰＢＣＨおよびＲＭＳＩの取得を容易にするために適切なＰＲＢインデックス付けを有利に使用する。したがって、そのようなＰＲＢインデックス付けに基づいて、ＵＥ３が関連リソースブロック（ＲＢ：Resource Block）インデックス付け（参照信号の位置を含む）、チャネル状態情報（ＣＳＩ：Channel State Information）の導出、およびセル９のシステム情報の取得を決定できるように、ネットワークチャネル帯域幅内で検出されたＳＳブロックの正確な位置を決定することができる。
【００３５】
より詳細には、ＮＲ−ＰＢＣＨの取得中、ＮＲ−ＰＢＣＨと同期信号（ＳＳ：Synchronisation Signal）の位置との間に相対的な時間があるため、ＮＲ−ＰＢＣＨの位置は、ＳＳの位置に基づいて決定される。さらに、ＮＲ−ＰＢＣＨを運ぶＰＲＢの数は固定されているため、この段階ではリソース割り当てのシグナリングが行われないため、ＰＲＢインデックス付けの必要は無い。したがって、ＵＥ３は、ＮＲ−ＰＢＣＨから最小システム情報の少なくとも一部を取得することができる。
【００３６】
しかしながら、（ＮＲ−ＰＤＳＣＨおよび／またはＮＲ−ＰＢＣＨを介して基地局５によって送信される）ＲＭＳＩの取得中は、ＰＲＢの数は送信される情報の量（および、おそらく使用されている変調などの他の要因）に依存するので、ＲＭＳＩにスケジュールできるＰＲＢの数は可変である。したがって、基地局５は、以下で説明する例示的なＰＲＢインデックス付け方法に基づいて、ＵＥ３へのＲＭＳＩスケジューリング割り当てを示すために特別なスキームを採用する。
【００３７】
要約すると、ＲＭＳＩへのリソースの割り当てにおいて、基地局５は、ＮＲ  ＰＢＣＨの帯域幅内に限定されるＲＭＳＩの帯域幅（「オプション１」）を使用するか、またはＮＲ−ＰＢＣＨの帯域幅よりも大きいＲＭＳＩの帯域幅を使用することができる（「オプション２」）。
【００３８】
オプション１とオプション２の両方の場合、ＲＭＳＩのＰＲＢインデックスは、ＮＲ−ＰＢＣＨ  ＢＷの最低周波数から開始され、ＲＭＳＩスケジューリングのリソース割り当てスキームの粒度は１ＰＲＢである。オプション２の場合（つまり、ＲＭＳＩの帯域幅がデコードされたＮＲ−ＰＢＣＨの帯域幅よりも大きい場合）、ＲＭＳＩ帯域幅とＮＲ−ＰＢＣＨ帯域幅の差（オフセット量など）はＰＲＢの観点から与えられ、その差はＮＲ−ＰＢＣＨで通知される。これにより、ＵＥ３は（検出されたＳＳブロックに基づいて）ＮＲ−ＰＢＣＨの位置と帯域幅を取得できるため、最小システム情報の少なくとも一部を取得し、ＮＲ−ＰＢＣＨからＲＭＳＩ帯域幅（ＮＲ−ＰＢＣＨ帯域幅、またはＮＲ−ＰＢＣＨ帯域幅＋オフセット、と等しい）を決定する。
【００３９】
基地局５がオフセット値をＵＥ３にシグナリングするとき、オフセットを適用するための参照点は、ＮＲ−ＰＢＣＨの最低ＰＲＢ（この場合、オフセットは、ＮＲ−ＰＢＣＨの最高周波数から帯域幅を上方に増加させる）、またはＮＲ−ＰＢＣＨの中央ＰＲＢ（この場合、オフセットは、ＮＲ−ＰＢＣＨの最低周波数から下向き、およびＮＲ−ＰＢＣＨの最高周波数から上向きに帯域幅を対称的に増加させる）のいずれかであり得る。オフセットの動作の詳細については、図５および６を参照して以下に示す。
【００４０】
有益なことに、このシステムのＲＭＳＩは、ＵＥ３がネットワークチャネル帯域幅に対するＮＲ−ＰＢＣＨの位置を導出できる情報を含む（そのＵＥ３によって使用されるコンポーネントキャリアに関係なく）。したがって、一旦、ＵＥ３がＲＭＳＩをデコードすると、ネットワークチャネル帯域幅のサイズだけでなく、ネットワークチャネル帯域幅内のデコードされたＮＲ−ＰＢＣＨの位置を知る。
【００４１】
したがって、上記のシステムは、複数のコンポーネントキャリア（たとえば、広帯域ＣＣおよび広帯域ＣＣ内の１つ以上の帯域内ＣＣ）で同時に動作するように構成されたＮＲ基地局で現在合意されているさまざまな要件を満たしていることがわかる。上記の解決策により、ＵＥは、関連するキャリア（広帯域ＣＣ、ＣＣ１、ＣＣ２）を介して、ＲＡＮにアクセスし、および／またはシステム情報（たとえば、ＲＭＳＩなど）を受信することが容易になる。
【００４２】
いくつかの有益な特徴が上述されているが、有益な特徴のサブセット（または１つ）のみが使用される場合でも、改善されたセルラー通信システムを依然として実現できることが理解される。
【００４３】
ユーザ機器
図３は、図１に示されるユーザ機器（携帯電話など）３の主要な構成要素を示すブロック図である。示されるように、ＵＥ３は、１つ以上のアンテナ３３を介して基地局（例えば、ｇＮＢ）５と信号を送受信するように動作可能なトランシーバ回路３１を有する。必ずしも図３に示されているわけではないが、ＵＥ３は従来のＵＥ３の通常の機能（ユーザインターフェイス３５など）をすべて備えており、これはハードウェア、ソフトウェア、ファームウェアのいずれか１つまたは任意の組み合わせによって適切に提供される。ＵＥ３は、ユーザ機器３の動作を制御するためのコントローラ３７を有する。
【００４４】
コントローラ３７は、メモリ３９に関連付けられ、トランシーバ回路３１に結合される。ソフトウェアは、例えば、メモリ３９に事前にインストールされてもよく、および／または通信ネットワーク１またはリムーバブルデータストレージデバイス（ＲＭＤ：Removable Data storage device）からダウンロードされてもよい。
【００４５】
コントローラ３７は、この例では、メモリ３９内に格納されたプログラム命令またはソフトウェア命令により、ＵＥ３の全体的な動作を制御するように構成される。示されるように、これらのソフトウェア命令は、とりわけ、オペレーティングシステム４１、通信制御モジュール４３、およびシステム情報管理モジュール４５を含む。
【００４６】
通信制御モジュール４３は、ＵＥ３と基地局５との間の通信を制御するように動作可能である。通信制御モジュール４３は、基地局５に送信されるアップリンクデータおよび制御データ、および基地局５によって送信されるダウンリンクデータおよび（システム情報を含む）制御データの受信の個別のフローも制御する。通信制御モジュール４３は、例えば、セル（再）選択、セル上でのキャンプ、ランダムアクセスチャネル（ＲＡＣＨ：Random Access Channel）手順などのアイドルおよび接続モード手順におけるＵＥの部分を管理する役割を負う。
【００４７】
システム情報管理モジュール４５は、システム情報（最小システム情報および／または他のシステム情報）のリスニング、受信、保存および解釈を管理し、セル９内で、ＵＥ３が接続される（または接続を試行する）基地局５の使用される適切なインデックス付けを導き出す役割を負う。具体的には、システム情報管理モジュール４５は、システム帯域幅内のＲＭＳＩの位置（所定のＣＣおよび／または数秘術のための）を決定する役割を負う。
【００４８】
基地局（ｇＮＢ）
図４は、図１に示されるタイプの基地局５の主要な構成要素を示すブロック図である。示されるように、基地局５は、１つ以上のアンテナ５３を介してＵＥ３と信号を送受信し、コアネットワークインターフェイス５５を介してコアネットワーク７の機能と、および／または基地局インターフェイス５６を介して他の基地局と、信号を送受信するように動作可能なトランシーバ回路５１を含む。ネットワークインタフェイスは通常、コアネットワーク７と通信するためのＳ１（またはＳ１のようなもの）インターフェイス、および他の基地局と通信するためのＸ２（またはＸ２のようなもの）インターフェイスを備える。コントローラ５７は、メモリ５９に格納されたソフトウェアに従ってトランシーバ回路５１の動作を制御する。ソフトウェアは、とりわけ、オペレーティングシステム６１、通信制御モジュール６３、およびシステム情報管理モジュール６５を含む。ソフトウェアは、例えば、メモリ５９に事前インストールされてもよく、および／または通信ネットワーク１を介して、またはリムーバブルデータストレージデバイス（ＲＭＤ：Removable Data storage device）からダウンロードされてもよい。
【００４９】
通信制御モジュール６３は、基地局５と、ＵＥ３および基地局５に接続されている他のネットワークエンティティとの間の通信を制御するように動作可能である。通信制御モジュール６３は、基地局５によってサービスされるＵＥ３のためのアップリンクおよびダウンリンクのユーザトラフィックおよび制御データ（システム情報を含む）の別個のフローも制御する。そのような制御データは、例えば、ＵＥ３の動作を管理し、ＲＭＳＩを提供するための制御データ（例えば、ＰＲＢスケジューリング／ＰＲＢインデックス付け）も含む。通信制御モジュール６３は、例えば、測定制御／構成情報、システム情報、基地局のランダムアクセスチャネル（ＲＡＣＨ：Random Access Channel）手順などの通信などの手順を制御する役割を負う。
【００５０】
システム情報管理モジュール６５は、適切なシステム情報（最小システム情報および／または他のシステム情報）を運ぶシステム情報（ＳＩ：System Information）メッセージの生成を管理し、（ＵＥまたはＵＥグループに与える）システム情報の特定の部分（ブロック）を送信するかどうかを決定し、システム情報の提供のために基地局５のセル９に適切なインデックス付けを提供する役割を負う。システム情報管理モジュール６５は、それを必要とするＵＥ３がそれを取得できるように、（所与のＣＣおよび／または数秘術のための）システム帯域幅内のＲＭＳＩに適切なリソースを割り当てる役割も負う。そのようなリソースは通常、ブロードキャストチャネル（例えば、ＮＲ−ＰＢＣＨなど）または別の共有チャネル（例えば、ＮＲ−ＰＤＳＣＨなど）に割り当てられる。
【００５１】
動作−ＮＲ−ＰＢＣＨおよびＲＭＳＩの取得中のＰＲＢインデックス付け
図５および図６は、図１のシステム１においてＰＢＣＨ帯域幅に関してＲＭＳＩ帯域幅を定義することができる例示的な方法を概略的に示す。
【００５２】
上記のように、ＮＲ−ＰＢＣＨを含むＳＳブロックは、必ずしも、（ＮＲシステム内の）ネットワークチャネル帯域幅の中心周波数にあるとは限らない。さらに、ネットワークチャネル帯域幅内に複数のコンポーネントキャリアが同時に提供される場合がある。
【００５３】
ＵＥがリソースブロック（ＲＢ：Resource Block）のインデックス付けを決定し、参照信号（ＲＳ：Reference Signal）を生成し、チャネル状態情報（ＣＳＩ：Channel State Information）を導出することができるように、以下の例示的なメカニズムが、ネットワークチャネル帯域幅内で検出されたＳＳブロックの正確な位置を提供するのに使用されてもよい。
【００５４】
ＮＲ−ＰＢＣＨと同期信号の位置との間には既知の（所定の）相対時間が存在するので、ＮＲ−ＰＢＣＨの位置は、一旦、同期信号が検出されると、ＵＥ３によって容易に決定される。さらに、ＮＲ−ＰＢＣＨを運ぶＰＲＢの数は固定されているため、この段階では、リソース割り当てのシグナリングが行われないため、ＰＲＢインデックス付けは必要ない。言い換えれば、ＵＥ３は、ＮＲ−ＰＢＣＨ全体のコンテンツ（通常、最小システム情報の少なくとも一部を含む）をデコードするように構成される。
【００５５】
ＲＭＳＩ（つまり、最初のＮＲ−ＰＢＣＨ送信内に含まれなかった最小システム情報の一部）の取得中、ＲＭＳＩにスケジュールできるＰＲＢの数は可変である（たとえば、送信される情報の量に依存する）。したがって、ＲＭＳＩ送信のリソース割り当てを処理するために、（例えば、ＰＲＢインデックス付けなどに基づいた）ＲＭＳＩスケジューリング割り当てが実行される。
【００５６】
第１の例では、ＲＭＳＩの帯域幅（制御およびデータシグナリングの両方用）は、ＮＲ−ＰＢＣＨの帯域幅内に制限される。これは、たとえば、ＲＭＳＩのサイズが比較的小さい場合に可能である。したがって、この場合、ＰＲＢは、周波数領域が増加する順序で（つまり、ＮＲ−ＰＢＣＨ帯域幅の最低周波数から最高周波数に）インデックス付けがされる。しかしながら、ＵＥ３はこのフェーズでネットワークチャネル帯域幅をまだ知らない場合があるため、適切なグローバルＰＲＢおよびＲＢＧインデックスを導出することは要求されない。したがって、ＲＭＳＩ（提供されている場合）のＰＲＢインデックスは、（ネットワークチャネル帯域幅ではなく）ＮＲ−ＰＢＣＨ帯域幅に対応するＰＲＢのセット内で解釈される。
【００５７】
この例では、ＲＭＳＩスケジューリングのリソース割り当てスキームの好ましい粒度は１ＰＲＢであり、これは、たとえば、ＲＢＧ粒度に基づいてスケジューリングされる同じセル内の他のアクティブなＵＥに影響を与えないためである。しかしながら、必要に応じて、他の適切な粒度を選択できることを理解されたい。
【００５８】
第２の例では、ＲＭＳＩの帯域幅（制御およびデータシグナリング用）は、ＮＲ−ＰＢＣＨの帯域幅よりも大きくすることができる。言い換えると、この場合、ＲＭＳＩ帯域幅は、ＮＲ−ＰＢＣＨ帯域幅に対応するＰＲＢのセットと、追加のＰＲＢのセット（少なくとも１つのＰＲＢ）と、を含む（または重複する）。ＲＭＳＩに要求される帯域幅がＮＲ−ＰＢＣＨの帯域幅よりも大きい場合、ＰＲＢは、たとえばＮＲ−ＰＢＣＨ帯域幅の最低周波数から開始して、上に向かって連続する周波数領域が増加する順序でインデックス付けを行う。この場合、ＮＲ−ＰＢＣＨ帯域幅の最低ＰＲＢが、ＲＭＳＩのスケジューリングを決定するための参照点として機能する。したがって、ＮＲ−ＰＢＣＨ帯域幅に対応するリソースよりも多くのリソースが必要な場合、リソース割り当てスパンを単純にさらに上に増やすことができる（図５を参照）。あるいは、図６に示すように、ＮＲ−ＰＢＣＨ帯域幅の最低ＰＲＢが参照点である場合、ＮＲ−ＰＢＣＨ帯域幅のサイズを超えるＲＭＳＩスケジューリングのために、ＲＭＳＩの最低および最高ＰＲＢの両方を（等しい量で）拡張することによってリソース割り当てスパンを対称的に増加させることができる。有益には、拡張されたＲＭＳＩ帯域幅（例えば、合計帯域幅／ＰＲＢの総数）、または少なくとも増加量（例えば、ＮＲ−ＰＢＣＨ帯域幅に加えられたオフセット／ＰＲＢの数）は、ＮＲ−ＰＢＣＨでＵＥにシグナリングされる。
【００５９】
要約すると、ＲＭＳＩの帯域幅は、デコードされたＮＲ−ＰＢＣＨの帯域幅内に制限されることが好ましい（少なくともＲＭＳＩのサイズが許す場合）。この場合、ＲＭＳＩのＰＲＢインデックスは、ＮＲ−ＰＢＣＨ帯域幅の最低周波数から開始でき、ＲＭＳＩスケジューリングのリソース割り当てスキームの粒度は１ＰＲＢである。ＲＭＳＩの帯域幅が、デコードされたＮＲ−ＰＢＣＨの帯域幅と比較して増加した場合（たとえば、ＲＭＳＩのサイズ、および／またはＵＥの能力に応じて）、ＰＲＢの増加量（たとえば、オフセット）がＮＲ−ＰＢＣＨでＵＥにシグナリングされる。これにより、各ＵＥはＮＲ−ＰＢＣＨからそのＵＥに適切なＲＭＳＩ帯域幅を決定できる（ＲＭＳＩ帯域幅は、ＮＲ−ＰＢＣＨ帯域幅、または、ＮＲ−ＰＢＣＨ帯域幅＋オフセット、に等しい）。あるいは、チャネル帯域幅の最低ＰＲＢインデックス（または帯域幅部分）から最低ＰＲＢインデックスまたはＮＲ−ＰＢＣＨの中心までのオフセットをＮＲ−ＰＢＣＨでシグナリングできる。
【００６０】
動作−ＵＥがＲＭＳＩをデコードした後のＰＲＢインデックス付け
図７は、ＮＲシステム（図１に示されるセルラー通信システム１のような）におけるＰＢＣＨの位置を導出する例示的な方法を示す。さらに、図８は、このようなＮＲシステムの（グローバル）ＲＢＧインデックスの可能性を示す。
【００６１】
ＵＥ３が（たとえば、図５および６を参照して説明した技術の１つに基づいて）ＲＭＳＩおよびＲＭＳＩに含まれる情報をデコードした後、ＵＥ３はネットワークチャネル帯域幅のサイズだけでなく、ネットワークチャネル帯域幅内のＮＲ−ＰＢＣＨの位置も、すぐに明示的に知る。
【００６２】
例えば、ＵＥ３は、より広いチャネル帯域幅のＰＲＢインデックスを使用してデコードされたＮＲ−ＰＢＣＨの開始ＰＲＢインデックスをシグナリングすることにより、ＲＭＳＩを介してネットワークチャネル帯域幅内のデコードされたＮＲ−ＰＢＣＨ（および／または検出されたＳＳブロック）の位置について通知されてもよい。効果的には、デコードされたＮＲ−ＰＢＣＨの開始ＰＲＢインデックスの表示は、システム帯域幅の第１のＰＲＢ（つまり、インデックス「０」を持つＰＲＢ）からのＮＲ−ＰＢＣＨのオフセットの表示として機能し、そこから、ＵＥ３は、適用可能なサブキャリア間隔／数秘術に基づいて、システム帯域幅の第１のＰＲＢ（したがって、他のＰＲＢ）の位置を算出することができる。
【００６３】
このアプローチは、一般的に図７に示される。この例では、ＲＭＳＩの開始ＰＲＢ（またはオフセット）（または、ＲＭＳＩがＰＢＣＨ内に限定されている場合、または上方にのみ伸びている場合、ＰＢＣＨの開始ＰＲＢ）は、ＰＲＢインデックス「１１」を有する。したがって、この例では、値「１１」は、ＲＭＳＩに（たとえば、その適切な情報要素に）含まれる。これにより、基地局５はＮＲ−ＰＢＣＨ（およびＳＳブロックおよび／またはＲＭＳＩ）を関連するシステム帯域幅内（中央部だけでなく）のどこにでも提供できるようになり、結果として複数のＣＣをシステム帯域幅内で、より柔軟に提供できるようになる。
【００６４】
ＵＥ３は、受信したＰＲＢ情報（ＲＭＳＩを介してシグナリングされる）を、ネットワークチャネル帯域幅内のグローバルＰＲＢインデックスを決定するための参照点とするように構成される。ＵＥ３は、参照点に基づいてグローバルＰＲＢインデックスを知る場合、ネットワークチャネル帯域幅内のＲＢＧの数を算出することもできる。たとえば、図８に示すように、ＲＢＧは、特定のサブキャリア間隔／数秘術に対して、周波数領域が増加する順序で（つまり、最低周波数から開始して）インデックス付けを行うことができる。
【００６５】
変更と代替
多くの詳細な例示的な実施形態が上記で説明された。当業者が理解するように、多くの変更および代替が上記の実施例に対してなされ得るが、その中で実施される本発明からは、依然として利益を得る。例証として、これらの代替および変更のいくつかのみを説明する。
【００６６】
上記の例では、ＰＢＣＨとＲＭＳＩが同じ数秘術（つまり、同じサブキャリア間隔およびＣＰ長）を使用していると想定される。しかしながら、異なる数秘術がある場合は、ＲＭＳＩ帯域幅を拡張する前に、両側でＲＭＳＩに使用されるＰＲＢの量が等しくなるように、数秘術をＰＢＣＨ帯域幅の中心からアラインされることが好ましい。効果的には、これは、異なる数秘術のＰＲＢ境界が常にＰＢＣＨ帯域幅の中心からアラインされることを意味する。ＲＡＮ１で合意されているように、アライメント（alignment）とは、特定のＳＣＳ  Ｆ０について、ＰＲＢ内のサブキャリアに「０」から「１１」までの番号が付けられている場合、サブキャリア「０」は、Ｆ０より小さい次数のすべてのＳＣＳのサブキャリア「０」と常に一致することを意味する。
【００６７】
【表１】
2020523915.tif 000003
表１：数秘術の例
【００６８】
上記の例示的な実施形態では、ユーザ機器３および基地局５を実装するためのいくつかのソフトウェアモジュールが説明された。当業者が理解するように、そのようなソフトウェアモジュールは、コンパイルされた形式またはコンパイルされていない形式で提供され、コンピュータネットワークまたは記録媒体上の信号として対応するハードウェアに供給される。さらに、このソフトウェアの一部またはすべてによって実行される機能は、１つまたは複数の個別ハードウェア回路を使用して実行できる。しかしながら、機能を更新するために対応するハードウェアの更新を容易にするため、ソフトウェアモジュールの使用が推奨される。同様に、上記の例示的な実施形態はトランシーバ回路を使用したが、トランシーバ回路の機能の少なくともいくつかはソフトウェアによって実行することができる。
【００６９】
ユーザ機器３および基地局５の機能は、通常、適切なソフトウェア命令を使用してプログラムされて要求される機能を提供する１つまたは複数のハードウェアコンピュータプロセッサを有する１つまたはコンピュータ処理装置を使用して実装される。この機能のすべてまたは一部は、たとえば特定用途向け集積回路（ＡＳＩＣ：Application Specific Integrated Circuit）などの１つまたは複数の個別集積回路を使用して、個別回路としてハードウェアで実装できることが理解される。
【００７０】
ＵＥ３および基地局５の説明で言及されたコントローラは、例えばアナログまたはデジタルコントローラなどの任意の適切なコントローラを備えることが理解される。各コントローラは、例えば、１つまたはそれ以上のコンピュータ処理が実装されたハードウェアと、マイクロプロセッサと、中央処理ユニット（ＣＰＵ：Central Processing Unit）と、算術論理ユニット（ＡＬＵ：Arithmetic Logic Units）と、入出力（ＩＯ：Input/Output）回路と、内部メモリ／キャッシュ（プログラムおよび／またはデータ）と、処理レジスタと、通信バス（例えば、制御、データ、および／またはアドレスバス）と、ダイレクトメモリアクセス（ＤＭＡ：Direct Memory Access）機能と、カウンタ、ポインタ、および／またはタイマを実装されたハードウェアまたはソフトウェア実装と、および／またはそのようなものを含む（ただし、これらに限定されない）処理回路の任意の適切な形式を備えてもよい。
【００７１】
基地局５は、ｇＮＢに関して説明されてきたが、それは、ｇＮＢの機能が１つ以上の分散ユニット（ＤＵ：Distributed Unit）と中央ユニット（ＣＵ：Central Unit）との間で分割され得る基地局を含む任意の適切な基地局であってもよく、通常、ＣＵはより高いレベルの機能を実行し、次世代コアと通信し、ＤＵはより低いレベルの機能を実行し、周辺（つまり、ｇＮＢによって運用されるセル）のユーザ機器（ＵＥ：User Equipment）とのエアインターフェイスを介して通信する。
【００７２】
上記の例示的な実施形態では、基地局は、３ＧＰＰ無線通信（無線アクセス）技術を使用して、モバイルデバイスと通信する。しかしながら、他の無線通信技術（すなわち、ＷＬＡＮ、Ｗｉ−Ｆｉ、ＷｉＭＡＸ、ブルートゥースなど）は、上記の例示的な実施形態に従って、基地局とモバイルデバイスとの間で使用される。
【００７３】
ユーザ機器のアイテムは、たとえば、携帯電話、スマートフォン、ユーザ機器、携帯情報端末、ラップトップ／タブレットコンピュータ、Ｗｅｂブラウザー、電子書籍リーダなどの通信デバイスを含む。このようなモバイル（または一般に静止した）デバイスは、通常、ユーザが操作するが、いわゆる「モノのインターネット」（ＩｏＴ：Internet of Things）デバイスおよび同様のマシンタイプ通信（ＭＴＣ：Machine-Type Communication）デバイスをネットワークに接続することもできる。簡単にするために、本出願は、説明においてモバイルデバイス（またはＵＥ）に言及しているが、そのような通信デバイスが人間の入力またはメモリに保存されたソフトウェア命令によって制御されているかどうかに関係なく、記載された技術は、データを送信／受信するための通信ネットワークに接続することのできる任意の通信デバイス（モバイルおよび／または一般に静止している）に実装できる。
【００７４】
以下の変更および代替も可能であることが理解される（本発明の上記の態様の文言を使用して）。
【００７５】
少なくとも１つのさらなる通信リソースは、少なくとも１つの通信リソースの第１のセットに依存する（例えば、その中に閉じ込められるか、またはそれと重複する）場合がある。
【００７６】
割り当てを識別する情報は、物理リソースブロック（ＰＲＢ：Physical Resource Block）に関連付けられたインデックスを識別する情報と、少なくとも１つの通信リソースの第１のセットと比較した差を表すいくつかのＰＲＢ（例えば、オフセット）と、のうち少なくとも１つを備えてもよい。この場合、少なくとも１つの通信リソースの第１のセット内のＰＲＢは、周波数領域が増加する順序でインデックス付けされてもよい。好ましくは、リソース割り当ては１ＰＲＢの粒度を有する。
【００７７】
最小システム情報は、セルに関連付けられた複数のコンポーネントキャリア（ＣＣ：Component Carrier）の１つにアクセスするために要求される最小パラメータを含んでもよい。この場合、複数のコンポーネントキャリアは、少なくとも１つの広帯域ＣＣおよび／または少なくとも１つの帯域内ＣＣを備えてもよい。
【００７８】
通信リソースの第１のセットは、通信リソースの所定のセット（例えば、セル内で送信される少なくとも１つの同期信号の位置および／またはセルに関連する数秘術に依存する）を含んでもよい。
【００７９】
最小システム情報は、ＰＢＣＨの位置を識別する情報、および／または、セルのネットワークチャネル帯域幅内の残りの最小システム情報（ＲＭＳＩ：Remaining Minimum System Information、たとえば、ネットワークチャネル帯域幅内のＰＢＣＨ／ＲＭＳＩの開始ＰＲＢのインデックスを含む）を備えてもよい。この場合、通信デバイスは、ネットワークチャネル内のＰＢＣＨ／ＲＭＳＩの位置を識別する受信された情報に基づいて、ネットワークチャネル帯域幅内のグローバルＰＲＢインデックスを決定するように構成されてもよい。
【００８０】
通信装置は、新無線（ＮＲ：New Radio）システム用の基地局（例えば「ｇＮＢ」）を備えてもよく、通信デバイスはＮＲシステム用のユーザ機器（ＵＥ：User Equipment）を備えてもよい。
【００８１】
様々な他の修正が当業者には明らかであり、ここではさらに詳細には説明しない。
【００８２】
上記で開示された例示的な実施形態の全体または一部は、以下の付記として説明されるが、それに限定されない。
【００８３】
（付記１）
通信システムの無線アクセスネットワーク（ＲＡＮ：Radio Access Network）の通信装置によって実行される方法であって、
前記通信システムのセルにアクセスするためにユーザ機器（ＵＥ：User Equipment）によって要求される最小パラメータを含む最小システム情報の送信を制御すること、を備え、
前記最小システム情報は、少なくとも、前記最小システム情報の部分を含む初期部分と、前記最小システム情報の残りの部分を含む残り部分と、を含み、
少なくとも１つの通信リソースの第１のセットを使用して、物理ブロードキャストチャネル（ＰＢＣＨ：Physical Broadcast Channel）を介して前記システム情報の少なくとも前記初期部分を送信することと、
少なくとも１つのさらなる通信リソースの割り当てを識別する情報を送信することと、
前記割り当てによって識別される前記少なくとも１つのさらなる通信リソースを使用して、前記最小システム情報の少なくとも前記残り部分を送信することと、
を備える方法。
【００８４】
（付記２）
前記少なくとも１つのさらなる通信リソースは、前記少なくとも１つの通信リソースの第１のセットに依存する（例えば、内に閉じ込められるか、または重複する）、
付記１に記載の方法。
【００８５】
（付記３）
割り当てを識別する前記情報は、
物理リソースブロック（ＰＲＢ：Physical Resource Block）に関連付けられたインデックスを識別する情報と、
前記少なくとも１つの通信リソースの第１のセットと比較した差を表すいくつかのＰＲＢ（例えば、オフセット）と、
のうち少なくとも１つを備える、
付記１または２に記載の方法。
【００８６】
（付記４）
前記少なくとも１つの通信リソースの第１のセット内のＰＲＢは、周波数領域が増加する順にインデックスが付けられる、
付記３に記載の方法。
【００８７】
（付記５）
リソースの前記割り当ては、１つのＰＲＢの粒度を有する、
付記１から４のいずれかに記載の方法。
【００８８】
（付記６）
前記最小システム情報は、前記セルに関連付けられた複数のコンポーネントキャリア（ＣＣ：Component Carrier）の１つにアクセスするために要求される最小パラメータを含む、
付記１から５のいずれかに記載の方法。
【００８９】
（付記７）
前記複数のコンポーネントキャリアは、少なくとも１つの広帯域ＣＣおよび／または少なくとも１つの帯域内ＣＣを含む、
付記６に記載の方法。
【００９０】
（付記８）
前記通信リソースの第１のセットは、通信リソースの所定のセット（たとえば、前記セル内で送信される少なくとも１つの同期信号の位置に依存する／前記セルに関連付けられた数秘術に依存する）を含む、
付記１から７のいずれかに記載の方法。
【００９１】
（付記９）
前記最小システム情報は、前記セルの前記ネットワークチャネル帯域幅内の前記ＰＢＣＨおよび／または前記最小システム情報の前記残り部分の前記位置を識別する情報（例えば、前記ネットワークチャネル帯域幅内の前記ＰＢＣＨ／ＲＭＳＩの開始ＰＲＢのインデックス）を含む、
付記１から８のいずれかに記載の方法。
【００９２】
（付記１０）
前記通信装置は、新無線（ＮＲ：New Radio）システム用の基地局（例えば、「ｇＮＢ」）を備える、
付記１から９のいずれかに記載の方法。
【００９３】
（付記１１）
通信システムの無線アクセスネットワーク（ＲＡＮ：Radio Access Network）のセルへのアクセスのために要求される最小パラメータを含む最小システム情報を取得するために、通信デバイスによって実行される方法であって、
前記最小システム情報は、少なくとも、前記最小システム情報の部分を含む初期部分と、前記最小システム情報の残りの部分を含む残り部分と、を含み、
少なくとも１つの通信リソースの第１のセットを使用して、通信物理ブロードキャストチャネル（ＰＢＣＨ：Physical Broadcast Channel）を介して前記システム情報の少なくとも前記初期部分を受信することと、
少なくとも１つのさらなる通信リソースの割り当てを識別する情報を受信することと、
前記割り当てによって識別された前記少なくとも１つのさらなる通信リソースを使用して、前記最小システム情報の少なくとも前記残り部分を受信することと、
を備える方法。
【００９４】
（付記１２）
前記最小システム情報は、前記セルの前記ネットワークチャネル帯域幅内の前記ＰＢＣＨおよび／または前記最小システム情報の前記残り部分の前記位置を識別する情報（例えば、前記ＰＢＣＨ／ＲＭＳＩの開始ＰＲＢのインデックス）を含む、
付記１１に記載の方法。
【００９５】
（付記１３）
前記ネットワークチャネル帯域幅内の前記ＰＢＣＨおよび／または前記最小システム情報の前記残り部分の前記位置を識別する受信された前記情報に基づいて、前記ネットワークチャネル帯域幅内のグローバルＰＲＢインデックスを決定することをさらに備える、
付記１２に記載の方法。
【００９６】
（付記１４）
前記通信デバイスは、新無線（ＮＲ：New Radio）のためのユーザ機器（ＵＥ：User Equipment）を含む、
付記１１から１３のいずれかに記載の方法。
【００９７】
（付記１５）
通信システムの無線アクセスネットワーク（ＲＡＮ：Radio Access Network）の通信装置によって実行される方法であって、
前記通信システムのセルにアクセスするためにユーザ機器（ＵＥ：User Equipment）によって要求される最小パラメータを含む最小システム情報の送信を制御すること、を備え、
前記最小システム情報は、少なくとも、前記最小システム情報の部分を含む初期部分と、残りの最小システム情報（ＲＭＳＩ：Remaining Minimum System Information）を含む残り部分と、を含み、
前記最小システム情報は、前記セルのネットワークチャネル帯域幅内に、物理ブロードキャストチャネル（ＰＢＣＨ：Physical Broadcast Channel）および前記ＲＭＳＩのうち少なくとも１つの前記位置を識別する情報を含む、
方法。
【００９８】
（付記１６）
通信システムの無線アクセスネットワーク（ＲＡＮ：Radio Access Network）の通信デバイスによって実行される方法であって、
前記通信システムのセルへアクセスするために要求された最小パラメータを含む最小システム情報を受信することを備え、
前記最小システム情報は、少なくとも、前記最小システム情報の部分を含む初期部分と、残りの最小システム情報（ＲＭＳＩ：Remaining Minimum System Information）を含む残り部分と、を含み、
前記最小システム情報は、前記セルのネットワークチャネル帯域幅内に、物理ブロードキャストチャネル（ＰＢＣＨ：Physical Broadcast Channel）および前記ＲＭＳＩのうち少なくとも１つの前記位置を識別する情報を含む、
方法。
【００９９】
（付記１７）
通信システムの無線アクセスネットワーク（ＲＡＮ：Radio Access Network）の通信装置であって、
前記通信システムのセルへのアクセスのためにユーザ機器（ＵＥ：User Equipment）によって要求される最小パラメータを含む最小システム情報の送信を制御する手段を備え、
前記最小システム情報は、少なくとも、前記最小システム情報の部分を含む初期部分と、前記最小システム情報の残りの部分を含む残り部分と、を含み、
少なくとも１つの通信リソースの第１のセットを使用して、物理ブロードキャストチャネル（ＰＢＣＨ：Physical Broadcast Channel）を介して前記システム情報の少なくとも前記初期部分を送信する手段と、
少なくとも１つのさらなる通信リソースの割り当てを識別する情報を送信する手段と、
前記割り当て情報によって識別される前記少なくとも１つのさらなる通信リソースを使用して、前記最小システム情報の少なくとも前記残り部分を送信する手段と、
を備える通信装置。
【０１００】
（付記１８）
通信システムの無線アクセスネットワーク（ＲＡＮ：Radio Access Network）のセルへのアクセスのための最小パラメータを含む最小システム情報を取得する手段を備え、
前記最小システム情報は、少なくとも、前記最小システム情報の部分を含む初期部分と、前記最小システム情報の残りの部分を含む残り部分と、を含み、
少なくとも１つの通信リソースの第１のセットを使用して、通信物理ブロードキャストチャネル（ＰＢＣＨ：Physical Broadcast Channel）を介して前記システム情報の少なくとも前記初期部分を受信する手段と、
少なくとも１つのさらなる通信リソースの割り当てを識別する情報を受信する手段と、
前記割り当てによって識別された前記少なくとも１つのさらなる通信リソースを使用して、前記最小システム情報の少なくとも前記残り部分を受信する手段と、
を備える通信デバイス。
【０１０１】
（付記１９）
通信システムの無線アクセスネットワーク（ＲＡＮ：Radio Access Network）の通信装置であって、
前記通信システムのセルにアクセスするためにユーザ機器（ＵＥ：User Equipment）によって要求される最小パラメータを含む最小システム情報の送信する手段を備え、
前記最小システム情報は、少なくとも、前記最小システム情報の部分を含む初期部分と、前記最小システム情報の残りの部分を含む残り部分と、を含み、
前記最小システム情報は、前記セルのネットワークチャネル帯域幅内に、物理ブロードキャストチャネル（ＰＢＣＨ：Physical Broadcast Channel）および前記ＲＭＳＩのうち少なくとも１つの前記位置を識別する情報を含む、
通信装置。
【０１０２】
（付記２０）
通信システムの無線アクセスネットワーク（ＲＡＮ：Radio Access Network）の通信デバイスであって、
前記通信システムのセルへアクセスするために要求された最小パラメータを含む最小システム情報を受信する手段を備え、
前記最小システム情報は、少なくとも、前記最小システム情報の部分を含む初期部分と、前記最小システム情報の残りの部分を含む残り部分と、を含み、
前記最小システム情報は、前記セルのネットワークチャネル帯域幅内に、物理ブロードキャストチャネル（ＰＢＣＨ：Physical Broadcast Channel）および前記ＲＭＳＩのうち少なくとも１つの前記位置を識別する情報を含む、
通信デバイス。
【０１０３】
（付記２１）
付記１７または１９に記載の通信装置と付記１８または２０に記載の通信デバイスとを含むシステム。
【０１０４】
（付記２２）
付記１から１６のいずれかに記載の方法、または付記１７または１９に記載の通信装置、または付記１８または２０に記載の通信デバイスとして動作するように適切に適合されたコンピュータをプログラムする方法を実行するためにプログラム可能なプロセッサをプログラムするように動作可能な命令が格納されたコンピュータプログラム可読記憶媒体。
【０１０５】
この出願は、２０１７年６月１６日に出願された英国特許出願第１７０９６７９．３号に基づく優先権の利益を主張し、その開示はその全体が参照により本明細書に組み込まれる。
【図１】
2020523915.tif 000004
【図２】
2020523915.tif 000005
【図３】
2020523915.tif 000006
【図４】
2020523915.tif 000007
【図５】
2020523915.tif 000008
【図６】
2020523915.tif 000009
【図７】
2020523915.tif 000010
【図８】
2020523915.tif 000011
【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
通信システムの無線アクセスネットワーク（ＲＡＮ：Radio Access Network）の通信装置によって実行される方法であって、
初期アクセスのためにユーザ機器（ＵＥ：User Equipment）によって要求されるパラメータを含む最小システム情報の送信を制御すること、を備え、
前記最小システム情報は、少なくとも、前記最小システム情報の部分を含む第１の部分と、残りの最小システム情報（ＲＭＳＩ：Remaining Minimum System Information）を含む第２の部分と、を含み、
物理ブロードキャストチャネル（ＰＢＣＨ：Physical Broadcast Channel）を介して前記最小システム情報の少なくとも前記第１の部分を送信することと、
前記最小システム情報の前記第１の部分において、少なくとも１つの通信リソースを識別する情報を送信することと、
前記情報によって識別される前記少なくとも１つの通信リソースを使用して、少なくとも前記ＲＭＳＩを送信することと、
を備える方法。
【請求項２】
前記少なくとも１つの通信リソースは、前記ＰＢＣＨに依存する、
請求項１に記載の方法。
【請求項３】
前記最小システム情報の前記第１の部分および前記ＲＭＳＩは、別個のダウンリンクチャネルを使用して送信される、
請求項１または２に記載の方法。
【請求項４】
前記ＲＭＳＩは、物理ダウンリンク共有チャネル（ＰＤＳＣＨ：Physical Downlink Shared Channel）を介して送信される、
請求項１から３のいずれか１つに記載の方法。
【請求項５】
前記最小システム情報の前記第１の部分は、マスター情報ブロック（ＭＩＢ：Master Information Block）を含み、
前記ＲＭＳＩは、システム情報ブロックタイプ１（ＳＩＢ１：System Information Block）を含む、
請求項１から４のいずれか１つに記載の方法。
【請求項６】
前記少なくとも１つの通信リソースを識別する前記情報は、
物理リソースブロック（ＰＲＢ：Physical Resource Block）に関連付けられたインデックスを識別する情報と、
前記ＰＢＣＨの少なくとも１つの通信リソースと比較した差を表すいくつかのＰＲＢと、
のうち少なくとも１つを備える、
請求項１から５のいずれか１つに記載の方法。
【請求項７】
前記ＰＢＣＨは、周波数領域が増加する順にインデックスが付けられた複数のＰＲＢを含む、
請求項６に記載の方法。
【請求項８】
前記少なくとも１つの通信リソースは、１つのＰＲＢの粒度を有する、
請求項１から７のいずれか１つに記載の方法。
【請求項９】
前記最小システム情報は、セルに関連付けられた複数の帯域幅部分のうちの１つにアクセスするために要求されるパラメータを含む、
請求項１から８のいずれか１つに記載の方法。
【請求項１０】
前記ＰＢＣＨは、通信リソースの所定のセットを介して送信される、
請求項１から９のいずれか１つに記載の方法。
【請求項１１】
前記最小システム情報は、セルのネットワークチャネル帯域幅内の前記ＰＢＣＨおよび／または前記最小システム情報の前記第２の部分の位置を識別する情報を含む、
請求項１から１０のいずれか１つに記載の方法。
【請求項１２】
前記通信装置は、新無線（ＮＲ：New Radio）システム用の基地局を備える、
請求項１から１１のいずれか１つに記載の方法。
【請求項１３】
通信システムの無線アクセスネットワーク（ＲＡＮ：Radio Access Network）への初期アクセスのために要求されるパラメータを含む最小システム情報を取得するために、ユーザ機器（ＵＥ：User Equipment）によって実行される方法であって、
前記最小システム情報は、少なくとも、前記最小システム情報の部分を含む第１の部分と、残りの最小システム情報（ＲＭＳＩ：Remaining Minimum System Information）を含む第２の部分と、を含み、
物理ブロードキャストチャネル（ＰＢＣＨ：Physical Broadcast Channel）を介して前記最小システム情報の少なくとも前記第１の部分を受信することと、
前記最小システム情報の前記第１の部分において、少なくとも１つの通信リソースを識別する情報を受信することと、
前記情報によって識別される前記少なくとも１つの通信リソースを使用して、少なくとも前記ＲＭＳＩを受信することと、
を備える方法。
【請求項１４】
通信システムの無線アクセスネットワーク（ＲＡＮ：Radio Access Network）の通信装置であって、
初期アクセスのためにユーザ機器（ＵＥ：User Equipment）によって要求されるパラメータを含む最小システム情報の送信を制御する手段を備え、
前記最小システム情報は、少なくとも、前記最小システム情報の部分を含む第１の部分と、残りの最小システム情報（ＲＭＳＩ：Remaining Minimum System Information）を含む第２の部分と、を含み、
物理ブロードキャストチャネル（ＰＢＣＨ：Physical Broadcast Channel）を介して前記最小システム情報の少なくとも前記第１の部分を送信する手段と、
前記最小システム情報の前記第１の部分において、少なくとも１つの通信リソースを識別する情報を送信する手段と、
前記情報によって識別される前記少なくとも１つの通信リソースを使用して、少なくとも前記ＲＭＳＩを送信する手段と、
を備える通信装置。
【請求項１５】
通信システムの無線アクセスネットワーク（ＲＡＮ：Radio Access Network）への初期アクセスのためのパラメータを含む最小システム情報を取得する手段を備え、
前記最小システム情報は、少なくとも、前記最小システム情報の部分を含む第１の部分と、残りの最小システム情報（ＲＭＳＩ：Remaining Minimum System Information）を含む第２の部分と、を含み、
物理ブロードキャストチャネル（ＰＢＣＨ：Physical Broadcast Channel）を介して前記最小システム情報の少なくとも前記第１の部分を受信する手段と、
前記最小システム情報の前記第１の部分において、少なくとも１つの通信リソースを識別する情報を受信する手段と、
前記情報によって識別される前記少なくとも１つの通信リソースを使用して、少なくとも前記ＲＭＳＩを受信する手段と、
を備えるユーザ機器。
【国際調査報告】
2020523915.tif 000012
2020523915.tif 000013
2020523915.tif 000014